(57)【特許請求の範囲】
【請求項１】
デジタル移動電話無線通信ネットワークにおける既定のセルの複数の無線リンクでの変調及びチャネル符号化を管理する方法であって、
前記ネットワークの動作中に、前記複数の無線リンクのうち少なくともいくつかの品質をそれぞれ示す個々の品質測定値を受信し、前記個々の品質測定値を共に結合し、そこから複合的な品質情報を生成する過程と、
前記複合的な品質情報に応じて、前記無線リンクのすべてにおいて用いる唯一の変調及びチャネル符号化の方式を決定する決定過程と、
前記無線リンクのすべてにおいて、前記唯一の変調及びチャネル符号化の方式を用いて無線伝送を実行する過程と、
を有する方法。
【請求項２】
前記無線リンクが上り線の無線リンクである請求項１記載の方法。
【請求項３】
前記無線リンクが下り線の無線リンクである請求項１記載の方法。
【請求項４】
前記無線リンクが上り線と下り線の双方の無線リンクを含む請求項１記載の方法。
【請求項５】
前記前記個々の品質測定値を共に結合し、そこから複合的な品質情報を生成する過程が前記個々の品質測定値を平均して平均の品質測定値を生成する過程を含む、請求項１記載の方法。
【請求項６】
前記受信過程が、上り線の受信信号電力と下り線の受信信号電力のうちの少なくとも一方を示す情報を受信する過程を含む、請求項１記載の方法。
【請求項７】
前記受信過程が、上り線で受信される干渉と下り線で受信される干渉のうちの少なくとも一方を示す情報を受信する過程を含む、請求項１記載の方法。
【請求項８】
前記受信過程が、上り線の受信ビット誤り率と下り線の受信ビット誤り率のうちの少なくとも一方を示す情報を受信する過程を含む、請求項１記載の方法。
【請求項９】
前記受信過程が、下り線のパケット・チャネル通信中に実行された下り線の再送信の回数を示す情報を受信する過程を含む、請求項１記載の方法。
【請求項１０】
デジタル移動電話無線通信ネットワークにおける既定のセルの複数の無線リンクでの変調及びチャネル符号化を制御する装置であって、
前記ネットワークの動作中に、前記複数の無線リンクに係る通信品質を示す情報を受信するための入力と、
前記入力に接続され、前記品質情報に応じて、前記無線リンクのすべてにおいて用いる唯一の変調及びチャネル符号化の方式を決定するセレクタと、
前記セレクタに接続され、前記無線リンクのすべてにおいて用いる前記唯一の変調及びチャネル符号化の方式を示す情報を出力する出力と、
を有する装置。
【請求項１１】
デジタル移動無線通信ネットワークにおける既定のセルの複数の無線リンクでの変調及びチャネル符号化を制御する装置であって、
ネットワークの動作中に、前記複数の無線リンクに係る通信品質を示す情報を受信する入力と、
前記入力に接続され、前記品質情報に応じて、前記無線リンクのすべてにおいて用いる唯一の変調及びチャネル符号化の方式を決定するセレクタと、
前記入力とセレクタとの間に接続され、前記複数の無線リンクのうち少なくともいくつかの品質をそれぞれ示す個々の品質測定値を前記入力から受けると共に、さらに前記個々の品質測定値を共に結合して、複合的な品質情報を生成するフィルタであって、前記セレクタが前記複合的な品質情報に応じて前記唯一の変調及びチャネル符号化の方式を決定するフィルタと、
前記セレクタに接続され、前記無線リンクのすべてにおいて用いる前記唯一の変調及びチャネル符号化の方式を示す情報を出力する出力と、
を備える装置。
【請求項１２】
前記無線リンクが下り線の無線リンクである請求項１０記載の装置。
【請求項１３】
前記無線リンクが上り線の無線リンクと下り線の無線リンクの双方を含む請求項１０記載の装置。
【請求項１４】
前記フィルタが、前記個々の品質測定値を平均して平均の品質測度を生成するために使用できるものである、請求項１１記載の装置。
【請求項１５】
前記品質情報が、前記セルの少なくとも１の活動中のリンクの上り線の受信信号電力と下り線の受信信号電力のうちの少なくとも一方を示す情報を含む、請求項１０記載の装置。
【請求項１６】
前記品質情報が、上り線で受信される干渉と下り線で受信される干渉のうちの少なくとも一方を示す情報を含む、請求項１０記載の装置。
【請求項１７】
前記品質情報が、上り線の受信ビット誤り率と下り線の受信ビット誤り率のうちの少なくとも一方を示す情報を含む、請求項１０記載の装置。
【請求項１８】
前記品質情報が、下り線のパケット・チャネル通信中に実行された下り線の再送信の回数を含む、請求項１０記載の装置。
【請求項１９】
前記セルの前記無線リンクを介して移動通信局との通信を行う固定位置の送受信機を制御する送受信機コントローラ内に設けられた請求項１０記載の装置。
【請求項２０】
前記セルの前記無線リンクを介して移動通信局との通信を行う固定位置の送受信機内に設けられた請求項１０記載の装置。
【請求項２１】
前記ネットワークが、ＧＳＭネットワーク、Ｄ−ＡＭＰＳネットワーク及びＰＤＣネットワークのうちの一のネットワークである、請求項１０記載の装置。
【請求項２２】
セルレベルの適応手法が、既定のセルにおけるすべての前記無線リンクに対し、前記唯一の変調及びチャネル符号化の方式を指定し、それにより、既定のセル内のすべての無線リンクが同一の変調及びチャネル符号化モードで動作する請求項１記載の方法。
【請求項２３】
前記品質情報が、前記セルレベルの適応手法への入力として用いられ、好ましくないオーバーヘッドを排除する請求項２２記載の方法。
【請求項２４】
前記既定のセルの無線リンクの通信品質が、所望の目標値に調節できる請求項２２記載の方法。
【発明の詳細な説明】
【０００１】
【発明の属する技術分野】
本発明は、広くデジタル移動電話システム（digital cellular systems）に関し、より具体的には、デジタル移動電話システムにおける処理量（throughput）の調整に関する。
【０００２】
【従来の技術及び発明が解決しようとする課題】
ＧＳＭ（Global System for Mobile communications）やＰＤＣ（Personal Digital Cellular）のような従来からあるデジタル移動電話のシステムでは、ビット誤り率（bit error rate（ＢＥＲ））を低減するために大気無線のインタフェース（air interface）でチャネル符号化を利用している。チャネル符号化は、一般的には誤り制御符号化とも呼ばれ、その例に含まれるものとしては、ブロック符号化（block coding）や畳み込み符号化（convolutional coding）がある。これらの符号化や他の誤り制御符号化の手法は、よく知られた技術である。
【０００３】
在来型のシステムには、音声通信とデータ通信に対してそれぞれ一定のチャネル符号化速度を割り当てるものがある。与えられるチャネル符号化方式のチャネル符号化速度は、その符号化方式によって所望の水準による誤り制御を実現するために実際のメッセージ・ビットに付加される冗長ビットの量を指定する。より高いチャネル符号化速度によれば、一定の品質を維持するためのより低いＢＥＲを費やす処理量がより少ない形態で提供することができ、より低いチャネル符号化速度によれば、一定の品質を維持するために高いＢＥＲに対してより多くの処理量を可能な限り費やすようにすることができる。
【０００４】
例えばすべてのデータ通信に対し、一定のチャネル符号化速度を割り当てることに伴って生じる不都合な点としては、移動局（移動通信機（mobile unit）とも呼ばれる）と無線基地局（base transceiver station）との間に与えられるリンクが高い品質を持つものである場合、そのリンクにチャネルの容量を消耗してしまうことがある点が挙げられる。かかる場合、そのリンクにとっては、一定のチャネル符号化速度によって与えられるほどの高いチャネル符号化速度を要求しなくてもよいので、少なくともいくつかのチャネル符号化ビットは不要なオーバーヘッド（unnecessary overhead）になる（品質が良いリンクは、許容範囲のＢＥＲを実現するに当たり、ほとんどチャネル符号化を要しないか、あるいは、全くチャネル符号化を要しないからである。）。移動通信機と無線基地局との間の接続が低品質（poor）である場合については、反対のことが起こり得る。すなわち、許容範囲のＢＥＲを実現するためには、低品質の接続は、割り当てられるチャネル符号化速度よりも高いチャネル符号化速度を必要とすることもある。
【０００５】
この問題の解決を意図した従来の一手法としては、多数の変調及びチャネル符号化の方式（modulation and channel coding schemes）を備えると共に、それぞれの移動局と無線基地局との間の個々の無線リンク上での処理量の最大化を図るリンク適応アルゴリズム（link adaptation algorithm）を利用するものがある。これは、多数の変調及び符号化の方式から、与えられたリンク上で最高の処理量を実現する一の方式を当該リンクの時間変化する品質に基づいて適応的に選出することによって行われる。各移動通信機に係る処理量は、それによって当該各移動通信機のリンクの“無線”状況（“radio” situation）、すなわち、伝搬及び干渉の状態に適応するものとされる。リンクの品質が良い場合（伝搬及び干渉の状態が良好である場合）には、より低い符号化速度を有するチャネル符号化方式がリンク適応アルゴリズムによって割り当てられる。一方、伝搬及び干渉が低品質な状態にある場合には、より高い符号化速度を有するチャネル符号化方式がリンクに対して割り当てられることになる。
【０００６】
上述したような従来のリンク適応によるアプローチでは、それぞれのリンクについて多数の品質特性（quality characteristics）を入力として受信することとするのが通常である。その品質特性の例としては、（１）下り線及び上り線で受信される信号電力の測度（measures）、（２）下り線及び上り線で受信される干渉の測度、並びに（３）下り線及び上り線のＢＥＲの測度がある。
【０００７】
多数の変調及びチャネル符号化の方式をリンク適応アルゴリズムと共に前述したように用いることにより、与えられたデジタル移動電話システムをその動作環境に適応させることが可能になる。すべての動作環境に適合する“最適”（“optimal”）な変調及び符号化の方式を見つけ出すことは困難なため、伝搬及び干渉が比較的良好な状態にある第１の環境に対して最適化された変調及び符号化の方式は、伝搬及び干渉が比較的低品質な状態にある第２の環境においては不十分な誤り制御を提供することになると予想される。これとは逆に、その第２の（比較的低品質な）環境に対して最適化された変調及びチャネル符号化の方式では、前記第１の環境において不要なオーバーヘッドとなる誤り制御を提供することになるのが予想される。リンク適応アルゴリズムによってリンク毎の単位で適用する上述した多数の変調及びチャネル符号化の方式の利用は、動作環境への配慮をせずに一定の変調及びチャネル符号化の方式を割り当てる手法を採るよりも、様々な異なる環境での用途により適している。
【０００８】
しかし、リンク適応によるアプローチでは、一般的に、リンクの品質についての前述した測度が、１秒間当たりに通常１回から５０回までの規則的な時間間隔で測定され、かつ、報告される必要がある。それらの報告は、リンク適応アルゴリズムに対する入力として要求されるものであり、当然大気無線のインタフェースを通じて送信しなければならないものである。このため、移動通信機から無線基地局への下り線に係る測定値を送信するには、大気無線のインタフェースにおいて、大量でかつ費用もかかる量のオーバーヘッドが必要になる。さらに、移動通信機と無線基地局との間には、頻繁な測定、対応する測定報告、並びに頻繁に報告される測定値に応じて頻繁に行われる可能性のある変調及びチャネル符号化の方式の変更を取り扱うために、より複雑な通信プロトコルが必要になる。変調及びチャネル符号化の方式を頻繁に変更するには、移動通信機と基地局との間のプロトコルを複雑性が増したものにする必要がある上に、移動通信機及び基地局の計算処理能力においても対応する複雑化が必要になる。
【０００９】
上述したリンク適応によるアプローチの他の不都合な点として、リンク適応によるアプローチは、干渉を低減しかつ移動通信機のバッテリ寿命を延ばすことを意図した在来の電力制御手法の十分な活用を妨げる傾向にある、という点が上げられる。リンク適応によるアプローチは、近隣にある他の如何なるリンクの処理量にも拘わらず、個々のリンクの処理量をそれぞれ最大化しようとするのに対し、在来の電力制御手法は、おおよそ同一の品質を実現し、それによってシステム内のすべてのリンクに同一の処理量を達成させることを図るものとなっている。かかる電力制御手法では、相対的に品質が高いリンクの品質を低下させることにより、相対的に品質が粗悪なリンクの品質向上を試みる。例えば、品質が良いリンクにおける送信電力は通常減らされるが、その一方で品質が粗悪なリンクにおける送信電力は通常増やされる。これに対し、リンク適応によるアプローチでは、与えられるリンクの電力レベルが許容される電力レベルの最大限に固定されるのが通常となっている。
【００１０】
【課題を解決するための手段】
このため、デジタル移動電話システムにおいては、従来のリンク適応によるアプローチでの不都合なオーバーヘッドを生じさせず、かつ、在来の電力制御手法を不利な方向に阻むこともなく、多数の変調及びチャネル符号化の方式からの適応的な選択をすることにより、処理量を調整する性能を提供することが望まれる。これは、本発明に基づき、比較的遅い適応手法（relatively slowly adaptive technique）を備えることによって達成される。その比較的遅い適応手法では、複数の採用し得る選択肢から変調及びチャネル符号化の方式を選択すると共に、選択した変調及びチャネル符号化の方式をセル−レベルの単位（cell-level basis）で適用する。
【００１１】
【発明の実施の形態】
図１は、本発明に基づくデジタル移動電話通信ネットワーク（digital cellular communication network）を有する代表的な通信システムのブロック図である。図１の例においては、在来の公衆電話交換網（ＰＳＴＮ(public switched telephone network)）１１がデジタル移動電話通信ネットワーク１５の移動電話機の中継局（mobile telephone switching office）１３へ接続されている。移動電話機の中継局１３は、略図化して符号１７で例示した複数の送受信機コントローラ（transceiver controllers）へ接続されている。それらの送受信機コントローラは、略図化して符号１９で示した複数の固定位置の無線送受信機（fixed-site radio transceivers）を順次制御する。それらの送受信機１９は、大気無線のインタフェース１８を介して、略図化して符号１６で例示した複数の無線送受信機移動局（ＭＳｓ(mobile radio transceiver stations)）との通信を行う。この技術分野ではよく知られているように、１つ又は２つ以上の固定位置の送受信機は、セルと呼ばれる予め定められた地理的エリア内に位置するすべての移動局を収容する。
【００１２】
図１のデジタル移動電話通信ネットワーク１５は、例えば、ここに述べる本発明の特徴を含むようにＧＳＭネットワークを適宜変形して構成することができる。図１は、ＧＳＭネットワークにおいては、中継局１３がＧＭＳの移動交換局（ＭＳＣ(mobile switching center)）に対応し、コントローラ１７がＧＳＭの基地局コントローラ（ＢＳＣｓ(base station controllers)）に対応し、かつ、固定位置の送受信機１９がＧＳＭの無線基地局（ＢＴＳｓ(base transceiver stations)）に対応することになる構成を例示している。以下に述べる本発明の特徴が他のよく知られたデジタル移動電話通信ネットワーク（例えば、Ｄ−ＡＭＰＳ、ＰＤＣ等）に対しても容易に適用できることは、当業者にとって明らかであろう。
【００１３】
図２は、代表的なモード決定器の概略を例示した図である。この代表的なモード決定器は、例えば、図１における１つ若しくは２つ以上の送受信機コントローラ１７内又は１つ若しくは２つ以上の固定位置の送受信機１９内に、設けることとしてもよい。各モード決定器は、当該各モード決定器と関連するセルについての変調及びチャネル符号化のモード（modulation and channel coding mode）を決定する。その関連するセルにおけるすべての無線リンクは、選択された変調及びチャネル符号化のモードで動作するものとなる。モード決定器が送受信機コントローラ１７内に設けられている場合、そのモード決定器は、送受信機コントローラ１７によって制御される固定位置の送受信機１９が収容するすべてのセルについての変調及びチャネル符号化のモードをそれぞれ決定するのに使用することができる。
【００１４】
図２の代表的なモード決定器は、既定のセル（a given cell）の各移動局１６と（一又は複数の）固定位置の送受信機１９とによって従来通りの動作中に得られる品質測定情報（quality measurement information）を受信するための入力２１を有している。例えば、モード決定器は、入力２１において、固定位置の送受信機１９により生成される測定値及び移動局１６により生成される測定値を表す情報、受信された信号電力を表す情報、受信された干渉を表す情報、ＢＥＲを表す情報、並びに他の従来からある測定値を表す情報を受信することができる。これらの品質因子（quality factors）の測定は、ＧＳＭ等のデジタル移動電話システムの従来通りの動作中に、それぞれのセルの移動局と固定位置の送受信機とによって既に従来から行われている。
【００１５】
下り線の品質を表す指標は、基地局においてＡＲＱを監視することによっても実現することができる。例えば、実行された再送信（retransmissions）の回数は、その下り線が良い品質を有するものかどうかを表す。ＡＲＱ（automatic repeat request（自動再送要求））は、在来のパケット・データ・システムで一般的に使われているものである。
【００１６】
入力２１で受信されたセルの品質測定情報は、例えばメモリ回路等のデータ記憶部２３に記憶することができる。従来におけるセルの品質測定情報は、記憶装置２３に接続される図示せぬ従来の電力制御器へ直接供給することができる。その電力制御器は、供給される品質測定情報を利用して在来の電力制御手法をセルの無線リンクにおいて実施することができる。かかる電力制御器の動作は、この技術分野ではよく知られている。
【００１７】
記憶装置２３は、フィルタ２７へと接続された出力を有している。フィルタ２７は、既定のセルの活動中であるそれぞれのリンク（移動局と固定位置の送受信機との間のリンク）について受信された品質測定情報に対して作用すると共に、そのセルについての対応する複合的（composite）品質測定情報を符号２５の所で供給する。例えば、このフィルタは、セルの活動中であるすべてのリンクの上り線受信信号電力測定値の平均値と、セルの活動中であるすべてのリンクについての下り線受信信号電力測定値の平均値とを、供給するものとすることができる。同様の平均値は、上り線及び下り線の干渉測定値、並びに上り線及び下り線のＢＥＲについても計算することができる。また、平均化以外のフィルタリング処理を必要に応じて作用させることもできる。例えば、他の形態のフィルタリング処理を示唆するものとして、経験上の観測情報（empirical observations）を利用してもよい。
【００１８】
セルのフィルタリングされた（すなわち複合的な）品質測定情報は、その後、モード・セレクタ２４の作用に適用される。モード・セレクタ２４は、それらのフィルタリングされた品質測定の値を受けると共に、受けたフィルタリング後の測定値に基づき、複数の採用可能なモードから一の変調及びチャネル符号化のモードを選択する。
【００１９】
選択された変調及びチャネル符号化のモードを表す情報は、符号２８の所で出力されて移動局へ送られる。例えば、図２のモード決定器が固定位置の送受信機１９内に設けられている場合には、選択された変調及びチャネル符号化のモードを表す情報は、大気無線のインタフェースにおける報知制御チャネル（broadcast control channel）を介して移動局へ送られ、あるいは、図２のモード決定器が送受信機コントローラ１７内に設けられている場合には、選択された変調及びチャネル符号化のモードを表す情報は、その情報を大気無線のインタフェースにおける報知制御チャネルを介して移動局へ中継する固定位置の送受信機１９を介して移動局へ送られる。
【００２０】
図３は、図２のセレクタ２４により供給されるモードの情報に対応する変調及びチャネル符号化の方式を実施するための無線送受信機の部分の例を概略的に示した図である。図３に示した例の無線送受信機部分は、固定位置の送受信機１９内と各移動局１６内に設けることができる。図３の送受信機部分は、入力３１において、図２のモード・セレクタ２４からの変調及びチャネル符号化のモード情報を受信する。この情報は、変調／復調セクション３５へ供給され、かつ、チャネル符号化／復号化セクション３７へも供給される。図３における破線部分は、セクション３５と３７の間に従来から接続されている図示せぬ送受信機部分を表すが、本発明を理解するのには必要でない部分なのでここでは省略する。
【００２１】
変調／復調セクション３５及びチャネル符号化／復号化セクション３７は、モード情報に対し、対応する変調及びチャネル符号化の方式を従来の形式で（例えば、従来のリンク適応での動作と同様の形態で）実施することによって応答する。通信は、大気無線のインタフェース１８からセクション３７及び３５を通じて内部の通信経路３３へと、また、内部の通信経路３３からセクション３５及び３７を通じて大気無線のインタフェース１８へと、従来の形式で（例えば、従来のリンク適応での動作を利用しているときに行われるのと同様の形態で）行われる。
【００２２】
図４は、図２のモード決定器により実行することができる代表的な動作を例示した図である。始めに４１において、セルのリンクについての品質測定情報が受信される。この品質測定情報が受信された時には、その受信された品質測定情報を、在来の電力制御手法を実行するために４３で電力制御器へ送ることができる。また、受信された測定情報は、４９でフィルタ２７へも適用する。４７において、セル内の活動中であるすべてのリンク（あるいは、セル内の活動中であるすべてのリンクのうちから適切にサンプリングした代表的なリンク）について必要な測定報告が受信され、かつ、フィルタリングされたときに、そのフィルタリングされた（すなわち複合的な）品質情報が４６でモード・セレクタ２４へ適用される。ここで、モード・セレクタ２４は、そのフィルタリングされた品質測定情報によって示される変調及びチャネル符号化のモードを選択する。その後、選択されたモードのモード情報は、前記セルの固定位置の送受信機及び移動局のすべてに対して４４で通知される。
【００２３】
前記セルの固定位置の送受信機と移動局は、そのモード情報に対し、選択されたモードに対応する変調及びチャネル符号化の方式を実施することによって応答する。この変調及びチャネル符号化の方式は、前記セルのすべての移動局と前記セルのすべての固定位置の送受信機とが実行することになるので、前記セルのすべての無線リンクは、同一の変調及びチャネル符号化のモードで動作することになる。
【００２４】
複合的品質測定情報（フィルタ２７から出力される情報）と変調及びチャネル符号化のモード（セレクタ２４により選択されるモード）との間の望ましい関係は、例えば、与えられた複合的品質の状態の下でどのモードが望ましい結果（例えば、望ましいＢＥＲや処理量）を実現するかについての経験上の観測情報等から容易に決定することができる。
【００２５】
他の実施形態としては、図２のモード決定器が、フィルタ２７により生成される上り線の複合的品質測定情報に応じて上り線の変調及びチャネル符号化のモードを決定すると共に、さらに、フィルタ２７により生成される下り線の複合的品質測定情報に応じて下り線の変調及びチャネル符号化のモードを決定するものとする。そして、セルの固定位置の送受信機及び移動局は、そのセル内でのすべての上り線の通信について、対応する上り線の変調及びチャネル符号化の方式を実施すると共に、さらに、そのセル内のすべての下り線の通信について、対応する下り線の変調及びチャネル符号化の方式を実施する。
【００２６】
本発明は、既定のセル内のすべての無線リンクが同一の変調及びチャネル符号化のモードで動作するように、既定のセルにおけるすべての無線リンクに対し、唯一の変調及びチャネル符号化の方式を指定する、セル−レベルでの適応手法（cell-level adaptation technique）を提供する。このことは、上述したことから明らかとなったはずである。そのセル−レベルでの適応によるアプローチに対する入力としては、従来から利用可能な品質の測定報告を利用しているので、リンク適応によるアプローチで頻繁に利用される測定報告に関連した好ましくないオーバーヘッドを都合良く排除することができる。さらに、セル内のすべてのリンクで同一の変調及びチャネル符号化の方式を用いるので、例えば在来の電力制御手法を用いて、様々なリンクの品質を所望の一目標値に調節することもできる。如何なる場合にも個々のリンクをそれぞれの特定の状況に適応させることは起こり得ないことから、あるリンクについて品質を向上させる必要性が生じることはない。したがって、本発明のセル−レベルでの適応によるアプローチは、従来技術のリンク適応によるアプローチを行う場合のように在来の電力制御手法に逆らって動作する傾向はなく、在来の電力制御手法と有効に協働する。さらに、頻繁な測定のオーバーヘッドはセル−レベルでの適応によるアプローチでは用いられず、かつ、従来のデジタル移動電話ネットワークで既に実行されている従来からの測定報告を有効に活用するので、セル−レベルでの適応によるアプローチは、在来の固定位置の送受信機と移動局において、それらの構成の複雑性をほとんど増大させずに、容易に実施することができる。
【００２７】
図１から図４を参照して上に説明した本発明が、例えば、従来のデジタル移動電話通信システムで使用されている在来の送受信機コントローラ、固定位置の送受信機及び移動局のデータ処理部分におけるハードウェア、ソフトウェア若しくはこれらの双方を適宜改良することにより、容易に実施することができるのは、当業者にとっては容易に理解されるところである。
【００２８】
本発明の代表的な実施形態について上に詳細に説明したが、これは本発明の範囲を限定するものではなく、本発明は多種多様な実施の形態で実践することができる。
【図面の簡単な説明】
【図１】  本発明に基づくデジタル移動電話無線ネットワークを有する通信システムの一例を表したブロック図である。
【図２】  既定のセルの無線リンクに対して変調及びチャネル符号化のモードを決定するための、本発明に基づくモード決定器の概略を例示した図である。
【図３】  図２の決定器により決定されるモードに基づいて変調及びチャネル符号化の方式を実施するための、本発明に基づく無線送受信機の部分の例を概略的に示した図である。
【図４】  図２の例のモード決定器により実行できる代表的な動作を流れ図の形式で例示した図である。
【符号の説明】
１１  ＰＳＴＮ（公衆電話交換網）
１３  ＭＳＣ（中継局、移動交換局）
１５  デジタル移動電話通信ネットワーク
１６  ＭＳｓ（複数の移動局）
１７  ＢＳＣｓ（複数の送受信機コントローラ、基地局コントローラ）
１８  大気無線のインタフェース
１９  ＢＴＳｓ（複数の固定位置の無線送受信機、無線基地局）
２３  記憶装置
２７  フィルタ
２４  モード・セレクタ
３５  変調／復調セクション
３７  符号化／復号化セクション
【図１】
0004408570.tif 000002
【図２】
0004408570.tif 000003
【図３】
0004408570.tif 000004
【図４】
0004408570.tif 000005